(57)【特許請求の範囲】
【請求項１】
ボウル部へ洗浄水を吐水する吐水口を有する吐水部と、
上記ボウル部の底部に連続して形成され、上記ボウル部の平面視において、上記吐水口から、上記ボウル部の前方及び後方を結ぶ中央軸と直交する軸方向にずれた位置に形成される排水口部と、
上記排水口部の上方に着脱可能に取り付けられる目皿と、を有し、
上記目皿の表面には、上記目皿の表面から上方へと突出し、線状に複数形成された凸部が設けられており、
上記凸部は、平面視において、上記中央軸と直交する軸に対して、上記吐水口が配置される側の片端の上記前方から他端の上記後方へと所定角度傾斜した状態で、延設されていることを特徴とする洗面器。
【請求項２】
上記所定角度は、９０度未満であることを特徴とする請求項１に記載の洗面器。
【請求項３】
上記目皿の表面は、上記ボウル部の底部の表面と同じ高さ又はこれより低い位置に設けられており、上記目皿の表面は所定角度傾斜していることを特徴とする請求項１又は請求項２に記載の洗面器。
【発明の詳細な説明】
【技術分野】
【０００１】
本発明は、着脱可能な目皿を有する洗面器に関する。
【背景技術】
【０００２】
従来より、手や顔等を洗浄する洗面器であって、底部に排水孔を塞ぐ目皿を有し、凹状に形成されたボウル部と、このボウル部に洗浄水を供給する水栓金具とを備え、ボウル部の底部に設けられた目皿と水栓金具の吐水口との配置位置が、平面視でズレているものが知られている（例えば、特許文献１）。
【先行技術文献】
【特許文献】
【０００３】
【特許文献１】特開２００４−３０５５６４号公報
【発明の概要】
【発明が解決しようとする課題】
【０００４】
このような洗面器に、合成樹脂製の目皿を適用した場合、合成樹脂製の目皿は、撥水性を備えており、表面に水が接触した際に水をはじくものであるため、水は自身の表面張力により水玉となり、表面全体にまで万遍なく洗浄水が行き渡り難い。それに加え、水栓金具の吐水口とボウル部の底部に設けられた樹脂製の目皿とが、平面視での配置位置がズレていると、水栓金具の吐水口から吐水された洗浄水が直接的に樹脂製の目皿に当たらず、洗面器のボウル部に吐水された後、ボウル部の底部に沿って流れ、目皿の表面を洗浄することとなるため、目皿の表面全体にまで万遍なく洗浄水が行き渡り難く、洗浄されない部分が出来やすいという問題がある。特に、洗面器の水栓金具はボウル部に固定されており、かつ吐水した際にボウル部外に水跳ねしないような所定の流量に予め設定されているために、目皿の表面全体にまで万遍なく洗浄水が行き渡り難く、洗面器の使用者が目皿表面に痰や歯みがき粉等を付着させると顕著に残り易いといった問題が生じている。
【０００５】
そこで、本発明は、上述した課題を解決するためになされたものであり、水栓金具の吐水口とボウル部の底部に設けられた目皿とが、平面視での配置位置がズレていても、撥水性を備える目皿の表面において洗浄されない部分を出来にくくすることが可能な洗面器を提供することを目的とする。
【課題を解決するための手段】
【０００６】
本発明の洗面器では、ボウル部へ洗浄水を吐水する吐水口を有する吐水部と、ボウル部の底部に連続して形成され、ボウル部の平面視において、吐水口から、ボウル部の前方及び後方を結ぶ中央軸と直交する軸方向にずれた位置に形成される排水口部と、排水口部の上方に着脱可能に取り付けられる目皿と、を有し、目皿の表面には、目皿の表面から上方へと突出し、線状に複数形成された凸部が設けられており、凸部は、平面視において、中央軸と直交する軸に対して、吐水口が配置される側の片端の前方から他端の後方へと所定角度傾斜した状態で、延設されていることを特徴としている。
このように構成された本発明においては、目皿の表面に洗浄水が接触した際に目皿の表面から上方へと突出して設けられた凸部により洗浄水の表面張力が効果的に抑制されるとともに洗浄水を目皿の表面に行き渡らせ、それにより、目皿の表面において水が行き渡りやすくなり、洗浄水で洗浄されない部分が出来にくくなる。
また、凸部が線状で複数形成されることにより確実に洗浄水が案内され、目皿の表面に水が行き渡りやすくなる。また、線状としたことで凸部上面の表面積の増加量を低減できるため、凸部上面に洗浄水や汚水が残りにくい。
また、凸部は、吐水部の吐水口が配置される側であって、目皿の片端の前方から他端の後方へと所定角度傾斜した状態で、延設しているため、目皿に流れ込んできた洗浄水が目皿の表面の片端から他端にまで案内され、目皿の表面全体にまで洗浄水が行き渡りやすくなる。
【００１０】
本発明において、さらに好ましくは、所定角度は９０度未満である。
このように構成された本発明においては、凸部が平面視において中央軸と直交する軸に対して前方へ９０度未満の角度で傾斜した状態で設けられるため、目皿に流れ込んできた洗浄水が目皿の表面の片端から他端にまで案内され、目皿の表面全体にまで洗浄水が行き渡りやすくなる。
【００１１】
本発明において、さらに好ましくは、目皿の表面は、ボウル部の底部の表面と同じ高さ又はこれより低い位置に設けられており、目皿の表面は所定角度傾斜している。
このように構成された本発明においては、目皿の表面は、ボウル部の底部の表面と同じ高さ又はこれより低い位置に設けられ所定角度傾斜しているため、より目皿の表面全体にまで洗浄水が行き渡りやすくなる。
【発明の効果】
【００１２】
本発明の洗面器によれば、目皿の表面に洗浄水が接触した際、目皿の表面における洗浄水の表面張力が抑制されつつ洗浄水が目皿の表面に行き渡り、それにより、洗浄水で洗浄されない部分が出来にくくなるため、目皿の表面に汚れや汚水が残りにくいという効果がある。
【図面の簡単な説明】
【００１３】
【図１】本発明の第１実施形態による洗面器を示す上面図
【図２】図１におけるＡ−Ａ断面図
【図３】図１におけるＢ−Ｂ断面図
【図４】（ａ）本発明の第２実施形態による目皿を示す上面図（ｂ）（ａ）におけるＣ−Ｃ断面図
【図５】（ａ）本発明の第３実施形態による目皿を示す平面図（ｂ）（ａ）におけるＤ−Ｄ断面図
【発明を実施するための形態】
【００１４】
以下、添付図面を参照して本発明の第１実施形態による洗面器について説明する。図１は本発明の第１実施形態による洗面器を示す上面図、図２は図１におけるＡ−Ａ断面図、図３は図１におけるＢ−Ｂ断面図である。図１に示すように、本発明の第１実施形態による洗面器１は、上向きに凹状に開口した矩形のボウル形状で形成され使用者が手洗い等を行うボウル部２と、このボウル部２の上方位置に設けられ洗浄水源から供給された洗浄水をボウル部２に吐水する吐水部４を備えている。さらに、図２、３に示すように、ボウル部２の下方であるボウル部２の底部５には、この底部５と連続して矩形形状で上方に向け開口して形成された筒体である排水口部６と、この排水口部６の上方に着脱可能に取り付けられる目皿８とを備えている。排水口部６の下流側は建物の壁面内等に配置された配管（図示せず）と連結し洗浄水等を排出することができるようになっている。
【００１５】
吐水部４は、図示しない水道管より供給されボウル部２に洗浄水を吐水する吐水口４ａとこの吐水される洗浄水を給止水する操作ハンドル４ｂを備えており、平面視で中央より左側に寄った状態で洗面器１の周縁の上面に固定されている。吐水口４ａは、その開口方向が下向きでボウル部２内の平面視で中央より左側に寄った状態で配置されている。このように、吐水部４がボウル部２内の平面視で中央より左側に寄った状態で配置されることにより、ボウル部２の手洗い等を行う空間を大きくとると共に外観意匠性を向上させている。
【００１６】
目皿８は、詳細は後述するが、目皿本体部８ａと、目皿本体部８ａの下面から下方に突出した筒状部８ｂを備えている。図１に示すように、目皿８はボウル部２の底部５に連続して形成された矩形状の排水口部６の開口に沿った矩形状で形成され、上方から着脱自在に取り付けられている。図２に示すように、この目皿８がボウル部２の底部５に形成された排水口部６に取り付けられた状態では、目皿の表面８ｃは、ボウル部の底部５の表面５ａと同じ高さに設けられており、目皿の表面８ｃは、ボウル部の底部５の傾斜に合わせて、前方から後方にかけて、水平に対して所定角度αだけ下方へと傾斜している。目皿の表面８ｃは、ボウル部の底部５の表面５ａと同じ高さに設けられ所定角度傾斜しているため、目皿の表面８ｃの全体にまで洗浄水が行き渡りやすくなっている。所定角度αは約３度〜約１５度、好ましくは約７度である。
【００１７】
本実施形態では、目皿の表面８ｃは、ボウル部の底部５の表面５ａと同じ高さに設けられているものを示したが、ボウル部の底部５の表面５ａより低い位置に設けても良い。
また、本実施形態では、目皿の表面８ｃを洗面器１の前方から後方にかけて水平に対して所定角度α下方へと傾斜させているが、水平にしてもよく、ボウル部の底部５の表面５ａに合わせて多種の形態をとることができる。
【００１８】
また、目皿８は、合成樹脂等の撥水性を有した材料で形成されている。目皿８は、平面視において、略正方形の矩形状に形成されている。排水口部６の開口の全体を蓋う目皿本体部８ａの下面から下方に突出した筒状部８ｂが、ボウル部２の排水口部６に設けられた支持部材１３に係合して固定されている。筒状部８ｂと支持部材１３と係合部分は着脱可能となっており、排水口部６を掃除やメンテナンスする際には取り外すことができるようになっている。
【００１９】
目皿本体部８ａの表面８ｃには、この表面８ｃを流れる洗浄水の表面張力を抑制するとともに洗浄水を目皿の表面８ｃに行き渡らせる表面張力抑制手段である凸部１２が目皿本体部８ａにその表面８ｃから上方へと突出して全体的に設けられている。なお、凸部１２は目皿本体部８ａの表面８ｃ全てに形成する必要はなく、この表面を流れる洗浄水の表面張力を抑制するとともに洗浄水を目皿の表面に行き渡らせる効果を得る事が出来れば良く、例えば、一部の領域を省いた状態で凸部１２を目皿本体部８ａの表面８ｃに形成してもよい。
【００２０】
さらに、凸部１２は、突起状に複数形成され、各凸部１２は目皿本体部８ａの表面に一体的に設けられている。なお、本実施形態では、凸部１２が目皿本体部８ａと一体的に形成された場合を示しているが、このような実施形態に限定されるものではなく、例えば、粘着性のあるシール部材で別体に形成して目皿本体部の表面に設けるようにしても良い。
【００２１】
凸部は線状で複数形成され、各凸部は所定間隔Ａを有して目皿８の表面８ｃに並行に設けられる。この間隔は約１０ｍｍ〜３０ｍｍ、好ましくは約２０ｍｍである。さらに、凸部は、平面視において目皿の中央軸と直交する軸に対して、吐水部から吐水された洗浄水が流れる方向と平行に所定角度βだけ傾斜した状態で、目皿の片端８ｄから目皿の他端８ｅへと延設している。これにより、確実に洗浄水が案内され、目皿の表面に水が行き渡りやすくなる。また、線状としたことで凸部１２上面の表面積の増加量を低減できるため、凸部１２上面に洗浄水や汚水が残りにくい。所定角度βは約５度〜約２０度、好ましくは約１５度である。
【００２２】
以下、第１実施形態である洗面器１に吐水部４の吐水口４ａから洗浄水を流した場合における、洗浄水の流れの動作について説明する。
使用者が吐水部４の操作ハンドル４ｂを操作して洗浄水の吐水の開始をすると、ボウル部２の上方位置、且つ平面視で中央より左側に寄った位置に設けられた吐水部４の吐水口４ａから洗浄水がボウル部２の底部５に当たり、ボウル部２の底部５に沿って内面全体に洗浄水が行き渡る。そして、その一部の洗浄水が、平面視で中央より右側に寄った位置に設けられた目皿本体部８ａ表面の前方から後方へと、突起状に形成された複数の凸部１２により目皿本体部８ａ表面に万遍なく流れる。目皿本体部８ａ表面に流れ込んだ洗浄水は複数の突起状の凸部１２を乗り越えて流れるために洗浄水に抵抗が与えられ、洗浄水自体に発生する表面張力が抑制される。それと同時に、複数の突起状の凸部１２により目皿本体部８ａ表面の洗浄水は流れを変更される。それにより、洗浄水は目皿本体部８ａ表面へと行き渡りやすくなり、目皿本体部８ａ表面で洗浄されない部分が出来にくくすることができる。
【００２３】
次に、図４（ａ）本発明の第２実施形態による目皿を示す上面図（ｂ）（ａ）におけるＣ−Ｃ断面図である。図４（ａ）及び（ｂ）により第２実施形態について説明する。この第２実施形態において、第１実施形態と同一部分には同一符号を付し、説明を省略するとともに、異なる部分のみ説明する。第２実施形態は、目皿本体部８ａの表面に、この表面を流れる洗浄水の表面張力を抑制するとともに洗浄水を目皿本体部８ａの表面に行き渡らせる表面張力抑制手段である凸部１２を格子状に複数形成し、各凸部１２を所定間隔Ｂだけ有して目皿本体部８ａの表面に設けたものである。
さらに、線状で複数形成された凸部１２は、平面視において目皿本体部８ａ表面において、前後方向に等間隔の所定距離Ｂを有して配列している。この間隔Ｂは約１０ｍｍ〜３０ｍｍ、好ましくは約２０ｍｍである。
【００２４】
この場合、使用者が洗浄開始操作を行うと、一部の洗浄水が目皿本体部８ａ表面の前方から後方へとその流れ方向に対して複数の格子状の凸部１２を経由して流れる。目皿本体部８ａ表面に流れ込んだ洗浄水は複数の格子状の凸部１２を乗り越えて流れるために洗浄水に抵抗が与えられ、洗浄水自体に発生する表面張力が抑制される。それにより、洗浄水は目皿本体部８ａ表面全体へと行き渡り、目皿本体部８ａ表面を万遍なく洗浄することができる。
【００２５】
次に、図５により第２実施形態の変形例である第３実施形態について説明する。この第３実施形態において、第２実施形態と同一部分には同一符号を付し、説明を省略するとともに、異なる部分のみ説明する。第３実施形態は、目皿本体部８ａの表面に、この表面を流れる洗浄水の表面張力を抑制するとともに洗浄水を目皿の表面に行き渡らせる表面張力抑制手段である凸部１２を、点形状に形成して上方で突出させている。点形状に形成された凸部１２は所定間隔Ｃを有し配列されている。この間隔Ｃは約１０ｍｍ〜３０ｍｍ、好ましくは約２０ｍｍである。
【００２６】
この場合、使用者が洗浄開始操作を行うと、一部の洗浄水が目皿本体部８ａ表面に形成された複数の点形状の凸部１２を経由して流れる。目皿本体部８ａ表面に流れ込んだ洗浄水は点形状の凸部１２を乗り越えて流れるために洗浄水に抵抗が与えられ、洗浄水自体に発生する表面張力が抑制される。それにより、洗浄水は目皿本体部８ａ表面全体へと行き渡り、目皿本体部８ａ表面を万遍なく洗浄することができる。
【００２７】
上述した実施形態によれば、ボウル部２へ洗浄水を吐水する吐水部４と、ボウル部２の底部に連続して形成された排水口部６と、排水口部６の上方に着脱可能に取り付けられる目皿８と、を有し、目皿８の表面８ｃには、目皿８の表面８ｃを流れる洗浄水の表面張力を抑制するとともに洗浄水を目皿８の表面８ｃに行き渡らせる表面張力抑制手段が全体的に設けられている。
このように構成された本発明においては、目皿８の表面８ｃに洗浄水が接触した際に表面張力抑制手段により洗浄水の表面張力が抑制されるとともに洗浄水を目皿８の表面８ｃに行き渡らせ、それにより、目皿８の表面８ｃにおいて水が行き渡りやすくなり、洗浄水で洗浄されない部分が出来にくくなる。
【００２８】
上述した実施形態によれば、好ましくは、表面張力抑制手段は目皿８の表面８ｃから上方へと突出して設けられた凸部１２である。このように構成された本発明においては、目皿８の表面８ｃから上方へと突出して設けられた凸部１２が洗浄水の表面張力を効果的に抑制し、目皿８の表面８ｃにおいて水が行き渡りやすくなる。
【００２９】
上述した実施形態によれば、さらに好ましくは、凸部１２は線状で複数形成され、各凸部１２は所定間隔Ａ、Ｂ、Ｃ有して目皿８の表面８ｃに設けられる。このように構成された本発明においては、凸部１２が線状で複数形成されることにより確実に洗浄水が案内され、目皿８の表面８ｃに水が行き渡りやすくなる。また、線状としたことで凸部１２上面の表面積の増加量を低減できるため、凸部１２上面に洗浄水や汚水が残りにくい。
【００３０】
上述した実施形態によれば、さらに好ましくは、凸部１２は、平面視において目皿８の中央軸と直交する軸に対して、吐水部４から吐水された洗浄水が流れる方向と平行に所定角度傾斜βした状態で、目皿８の片端８ｄから目皿８の他端８ｅへと延設しているため、目皿８に流れ込んできた洗浄水が目皿８の表面８ｃの片端８ｄから他端８ｅにまで案内され、目皿８の表面８ｃ全体にまで洗浄水が行き渡りやすくなる。
【００３１】
上述した実施形態によれば、さらに好ましくは、所定角度βは９０度未満である。
このように構成された本発明においては、凸部１２が平面視において中央軸と直交する軸に対して前方へ９０度未満の角度で傾斜した状態で設けられるため、目皿８に流れ込んできた洗浄水が目皿８の表面８ｃの片端８ｄから他端８ｅにまで案内され、目皿８の表面８ｃ全体にまで洗浄水が行き渡りやすくなる。
【００３２】
上述した実施形態によれば、さらに好ましくは、目皿８の表面８ｃは、ボウル部２の底部５の表面５ａと同じ高さ又はこれより低い位置に設けられており、目皿８の表面８ｃは所定角度α傾斜している。
このように構成された本発明においては、目皿８の表面８ｃは、ボウル部２の底部５の表面５ａと同じ高さ又はこれより低い位置に設けられ所定角度α傾斜しているため、より目皿５の表面５ａ全体にまで洗浄水が行き渡りやすくなる。
【符号の説明】
【００３３】
１…洗面器
２…ボウル部
４…吐水部
５…底部
６…排水口部
８…目皿
８ａ…目皿本体部
８ｂ…筒状部
８ｃ…目皿の表面
８ｄ…目皿の片端
８ｅ…目皿の他端
１２…凸部
【図４】
0005796820.tif 000002
【図５】
0005796820.tif 000003
【図１】
0005796820.tif 000004
【図２】
0005796820.tif 000005
【図３】
0005796820.tif 000006